(57)【特許請求の範囲】
【請求項１】
水源からの水が供給される管網に対して給水点を任意に指定することにより、この給水点と水源との間の複数の経路のうち最大流量の経路で成る主幹線を求める主幹線探索手段と、このように求めた主幹線を出力装置に出力する処理装置とを備えると共に、前記主幹線探索手段が、前記給水点に最も近い位置の交点に対して最も多くの水を供給する経路を抽出し、このように抽出した経路の上流側の交点に対して最も多くの水を供給する経路を抽出するルールに従う処理を水源に達するまで繰り返して行い、このように抽出した複数の経路を主幹線に設定する処理を行うよう構成されている主幹線探索システム。
【請求項２】
前記主幹線探索手段が、前記交点と接続する複数の管路の水の流向と流量とを水理解析により求め、流向が水を送り込む側であるもののうち最大流量のものの抽出を行うよう処理形態が設定されている請求項１記載の主幹線探索システム。
【請求項３】
前記出力装置が管網を表示するディスプレイで構成されると共に、このディスプレイに対してポインティング手段で給水点を設定し、この設定の後、前記主幹線探索手段による主幹線の抽出を行った後には、ディスプレイに対して水源から給水点までの経路を表示するよう前記処理装置の処理形態が設定されている請求項１又は２記載の主幹線探索システム。
【請求項４】
管網として、記憶手段に保存された複数の管路布設情報を合成して用いるよう構成されている請求項１〜３のいずれか１項に記載の主幹線探索システム。
【発明の詳細な説明】
【０００１】
【発明の属する技術分野】
本発明は、主幹線探索システムに関し、詳しくは、管網中に任意に設定した給水点に対して水源からの水を最も多く供給するルートを主幹線として抽出するためのシステムに関する。
【０００２】
【従来の技術】
従来、管網中に任意に指定された給水点に対して水源から最も多く水を供給するルートを抽出するための専用のシステムは存在しない。又、類似する技術として管網中に指定した任意の交点における水の流向や流量を水理解析の技術によって求めるものは存在し（例えば、特開平６‐２７４５７６号公報）、この技術を用いて水源から給水点に至る複数の経路夫々における水量を人為操作によって求め、この複数の経路の中から最も大きい流量となる経路を人為的に選択することで主幹線を求めることも可能である。
【０００３】
【発明が解決しようとする課題】
地震被害を考えるに、大規模な地震は水道管に対しても大きい被害を与えるものであり、水道管を復旧するまでの期間も長期に及ぶものとなっている。このことから、地震発生後においても病院や被災者の避難所等の特定の給水点に対して給水を確保する必要性が高いものとなっており、このような特定の給水点に対して水を供給する主幹線を地震発生以前に抽出しておき耐震化工事を行う際のデータとして出力し得るシステムが求められている。しかし、前述した従来の技術では水源と給水点との間の複数の経路夫々を人為的に選択し、夫々の経路における流量を水理解析によって求め、これら複数の経路の流量のうち最大のものを人為的に選択することで主幹線を求めることになるため、手間が掛かるものとなり改善の余地がある。
【０００４】
本発明の目的は、大規模な管網においても迅速に主幹線を抽出し得るシステムを合理的に構成する点にある。
【０００５】
【課題を解決するための手段】
本発明の第１の特徴（請求項１）は、水源からの水が供給される管網に対して給水点を任意に指定することにより、この給水点と水源との間の複数の経路のうち最大流量の経路で成る主幹線を求める主幹線探索手段と、このように求めた主幹線を出力装置に出力する処理装置とを備えると共に、前記主幹線探索手段が、前記給水点に最も近い位置の交点に対して最も多くの水を供給する経路を抽出し、このように抽出した経路の上流側の交点に対して最も多くの水を供給する経路を抽出するルールに従う処理を水源に達するまで繰り返して行い、このように抽出した複数の経路を主幹線に設定する処理を行うよう構成されている点にあり、その作用、及び、効果は次の通りである。
【０００６】
本発明の第２の特徴（請求項２）は請求項１において、前記主幹線探索手段が、前記交点と接続する複数の管路の水の流向と流量とを水理解析により求め、流向が水を送り込む側であるもののうち最大流量のものの抽出を行うよう処理形態が設定されている点にあり、その作用、及び、効果は次の通りである。
【０００７】
本発明の第３の特徴（請求項３）は請求項１又は２において、前記出力装置が管網を表示するディスプレイで構成されると共に、このディスプレイに対してポインティング手段で給水点を設定し、この設定の後、前記主幹線探索手段による主幹線の抽出を行った後には、ディスプレイに対して水源から給水点までの経路を表示するよう前記処理装置の処理形態が設定されている点にあり、その作用、及び、効果は次の通りである。
【０００８】
本発明の第４の特徴（請求項４）は請求項１〜３のいずれか１項において、管網として、記憶手段に保存された複数の管路布設情報を合成して用いるよう構成されている点にあり、その作用、及び、効果は次の通りである。
【０００９】
〔作用〕
【００１０】
上記第１の特徴によると、管網に対して任意に指定した給水点を基準にして、この給水点に最も近い位置の交点を求め、この交点に対して最も多くの水を供給する経路を抽出し、更に、このように抽出した経路の上流側の交点に対して最も多くの水を供給する経路を抽出するルールに従う処理を水源に達するまで遡る方向に繰り返して行うことになるので、従来の技術のように多数の経路夫々の流量を求め、この複数の流量のうち最大のものを人為的に抽出する処理を行うものと比較すると、単純な形態の処理の繰り返しだけで自動的に主幹線を求め得るものとなり、このように抽出した主幹線を処理装置が出力装置に出力するので、オペレータが出力結果に基づいて主幹線を認識できるものとなる。
【００１１】
上記第２の特徴によると、主幹線探索手段が、交点と接続する複数の管路の流向と流量とを水理解析により求め、流向が水を送り込む側のもののうち最大流量のものを抽出するよう処理形態が設定されているので、簡単な処理で済むものとなる。
【００１２】
上記第３の特徴によると、ディスプレイに表示された管網中にポインティング手段で給水点を設定した後に、主幹線探索手段を実行することにより、抽出された主幹線がディスプレイに表示されるので、抽出結果を視覚的に認識できるものとなる。
【００１３】
上記第４の特徴によると、記憶手段に保存された複数の管路布設情報を合成して用いるので、情報量が大きくなりやすい管網全体の情報を入力する手間を省け、例えば、布設された管路の位置や、管路に付された水量の情報に基づいて主幹線の抽出を行うことも可能となる。
【００１４】
〔発明の効果〕
従って、大規模な管網においても給水点を指定するだけで、主幹線を自動的に抽出して認識し得るシステムが合理的に構成されたのである。又、管網が複雑な状態であっても単純で迅速な抽出が可能な処理の繰り返しを行うだけで主幹線を求めるものとなり、ディスプレイの表示に基づいた視覚的な処理だけで主幹線を求め得るものとなり、特別に管網を形成しなくとも既存のデータを用いて主幹線を抽出できるものとなった。
【００１５】
【発明の実施の形態】
以下、本発明の実施の形態を図面に基づいて説明する。
図１に示すように、出力装置としてのＣＲＴや液晶表示装置で構成されるディスプレイ１、及び、記憶手段としてのハードディスク２を内蔵した処理装置としての汎用コンピュータ３夫々を有して管網の地震被害評価システムが構成されている。同図に示すように汎用コンピュータ３にはデータ入力用のキーボード４と、ポインティング手段としてのマウス５が付属しており、又、該汎用コンピュータ３は出力装置としてのプリンター６と接続している。
【００１６】
このシステムは、図２に示す如く水源Ｓからの水が供給される既存の管網ＰＮにおける地震に対して被害と、耐震化を想定した管網における地震に対して推定された被害とを比較して、前記ディスプレイ１やプリンター６に出力する処理を行うプログラムがセットされている。その処理の概要は図３に示すように、第１推定処理（＃Ａ）で既存の管網ＰＮに対する地震シミュレーションを行い、このシミュレーションによって推定された被害管路をディスプレイ１に既に表示されている管網中に表示する処理を行うと共に、この被害管路に基づき被害推定処理（＃Ｂ）で断水人口、あるいは、断水率を推定して、この推定結果をディスプレイ１に表示する処理を行う。又、推定された被害管路の中から耐震化想定処理  （＃Ｃ）で予め設定された優先順位に従って耐震化を想定する処理を行い、更に、この耐震化想定処理（＃Ｃ）で想定された想定結果をディスプレイ１の管網中に表示する処理を行うものとなっている。次に、耐震化費用算出処理（＃Ｃ’）で前記耐震化想定処理（＃Ｃ）において耐震化を想定した管路を布設するために必要な工事費用を算出すると共に、第２推定処理（＃Ｄ）で前述のように耐震化を想定した状態の管網に対する地震シミュレーションを行い、このシミュレーションによって推定された被害管路をディスプレイ１の管網中に表示すると共に、この被害管路に基づき被害推定処理（＃Ｅ）で断水人口、あるいは、断水率を推定し、この推定結果をディスプレイ１に表示する。次に、これら＃Ｂ・＃Ｅの推定処理の結果を比較処理（＃Ｆ）で被害の比較を行い、この比較結果を出力処理（＃Ｇ）で前記ディスプレイ１やプリンター６に出力する処理を行うものとなっている。
【００１７】
又、この処理において、第１推定処理（＃Ａ）、被害推定処理（＃Ｂ）、耐震化想定処理（＃Ｃ）夫々の処理を行う際に用いられる情報の流れだけを示すと、図４に示すようになる。つまり、管網ＰＮを構成する管路情報と、後述する補正情報と、所定の地震情報とに基づいて地震シミュレーションを実行して管網ＰＮを構成する各管路の被害率（Ｒｍ）を求め、この各管路の被害率（Ｒｍ）と管路長さ情報に基づいて管路の被害確率（Ｐｆ）を推定し、このように推定された各管路の被害確率（Ｐｆ）と乱数とに基づいて被害管路の推定が行われるものとなっている。以上の処理が第１推定処理（＃Ａ）の概要であり、このように推定された被害管路の情報と水理解析情報とに基づいて被害推定処理（＃Ｂ）、つまり、断水人口や断水率が求められ、又、このように推定された被害管路の情報と重み値（Ｋ）との情報とに基づいて耐震化想定処理（＃Ｃ）が行われるものとなっており、以下にこれらの処理を説明する。
【００１８】
第１推定処理（＃Ａ）は、図５のフローチャートに示すように、管網ＰＮを構成する管路情報と補正情報とのセットを行った状態で、地震情報に基づいて管路被害率（Ｒｍ）を推定し、この管路被害率（Ｒｍ）から管路被害確率（Ｐｆ）を推定し、管路被害確率（Ｐｆ）と乱数とに基づいて被害管路を推定し、このように推定した被害管路と推定された管路の識別情報をメモリに等にストアする処理を行うものとなっている（＃１０１〜１０５ステップ）。
【００１９】
具体的には、＃１０１ステップで管網ＰＮを図６に示す如く所定の距離毎にメッシュ状に区画し、メッシュ状に区画された夫々の領域Ｚに管路情報をセットする処理と、夫々の領域Ｚの管路に対して補正情報をセットする処理を行う。ここで、管路情報を保存する管路情報ファイルＦａの構造を説明すると、図２に示すように管網ＰＮが存在する領域をは複数のエリアＡｒに分割され、夫々のエリアＡｒに対応する管路情報ファイルＦａがハードディスク２に保存されている。ハードディスク２に保存される管路情報ファイルＦａ（管路布設情報の一例）は、図７に示すように〔ヘッダー〕と〔情報領域〕とを備えて成り、〔ヘッダー〕にはファイル名、作成日、更新日、データ量、エリアＡｒの位置を示すオフセット位置情報等を保存し、〔情報領域〕には管路情報と弁・栓情報と、地理情報とを保存するものとなっており、管路情報として管路の両端の位置、屈曲位置、管種、管径、管長、布設日、埋設深さ、流量（水量）、老朽度、平均圧力変化量、低圧化対象人口、流量比等の情報を含んで成り、弁・栓情報として弁・栓の位置、種類等の情報を含んで成り、地理情報として地形、道路の位置、建造物の位置の情報を含んで成り、地震情報として震度、地震最大加速度、液状化危険度などの情報を含んで成っている。そして、このシステムでは夫々の管路情報ファイルＦａの管路情報の位置を座標変換する等の処理により管路が繋ぎ合った状態で、図１８に示す如く、ディスプレイ１のウインドウＷ１内に管網ＰＮとして表示する処理を行い（処理形態は詳述せず）、必要な場合には、別個にウインドウＷ２を開いて拡大した管路の表示を行うことや、管網ＰＮから選択した管路の情報、即ち、管径、管長、布設年月日等の情報を管路情報ファイルＦａから読み出し、その管路の近傍位置に表示する処理を行えるものとなっている。
【００２０】
前記補正情報とは、図８〜図１１に示す如く、「管種に関する補正係数」Ｃｐと、「管径に関する補正係数」Ｃｄと、「地形・地盤に関する補正係数」Ｃｇと、「液状化に関する補正係数」Ｃｌとで構成され、これらの補正係数は地震のシミュレーションを行う際に夫々の管路に与えられる。又、地震情報とは、管網ＰＮが存在する地域に影響を及ぼす活断層等を震源とするもののうち、予め想定した震源で、予め想定した規模のデータ（地方自治体等が保有している）を含んで構成されている。
【００２１】
＃１０２ステップは、地震情報に基づいてメッシュ状の領域Ｚ毎の管路被害率（Ｒｍ）を推定する処理を行うものとなっている。この地震情報は前述したデータが用いられ、管路被害率（Ｒｍ）を推定するには（社）日本水道協会から発表されている式が用いられ、その式は以下の通りである。
【００２２】
Ｒｍ（α）＝Ｃｐ×Ｃｄ×Ｃｇ×Ｃｌ×Ｒ（α）、
Ｒｍ（α）：地震動の最大加速度がαにおける被害率、
Ｃｐ：管種に関する補正係数、
Ｃｄ：管径に関する補正係数、
Ｃｇ：地形・地盤に関する補正係数、
Ｃｌ：液状化に関する補正係数、
α  ：地震動の最大加速度（〔gal 〕あるいは〔cm/sec2 〕）、
【００２３】
この＃１０２ステップの処理では、管網ＰＮを構成する全ての管路について、管路被害率（Ｒｍ）を求めるものであることから、管網ＰＮを構成する全ての管路に対して管路情報ファイルＦａの情報に基づいて管種、管径を与える処理を行うと共に、これらの管路に対して地形・地盤に関する補正係数（Ｃｇ）や、液状化に関する補正係数（Ｃｌ）や、地震動の最大加速度（α）に基づく演算処理を行う。尚、これら地形・地盤に関する補正係数（Ｃｇ）や、液状化に関する補正係数（Ｃｌ）は前記管路情報ファイルＦａに保存しておくことも可能であるが、管路情報ファイルＦａの情報量を増大させないため、これらの情報を領域毎に管理するレイヤーを用い、このレイヤーを管網ＰＮが存在する領域に重ね合わせ、レイヤーに設定された情報を重ね合わせた管路夫々に与える等の処理を行うよう処理形態を設定することが有効である。又、地震動の最大加速度（α）はレイヤーに対して領域に対応した情報を設定しておき、このレイヤーに設定された情報を管網ＰＮが存在する重ね合わせることで地震動の情報を管路夫々に与えるよう処理形態が設定されている。
【００２４】
＃１０３ステップでは全ての管路について推定された管路被害率（Ｒｍ）と、その管路長さ情報（Ｌ）（管長）から管路被害確率（Ｐｆ）を推定する処理を行う。又、この管路被害確率（Ｐｆ）は以下の式で与えられる。
【００２５】
Ｐｆ＝１−ＥＸＰ（−Ｒｍ×Ｌ）、
Ｌ：管路長さ、
【００２６】
＃１０４ステップでは前述のように求めた管路被害確率（Ｐｆ）から被害管路を乱数に基づき確率の理論に基づいて推定する。被害管路とは漏水を発生する管路のことであり、夫々の管路に対して設定された管路被害確率（Ｐｆ）と、システムで発生させた乱数との大小関係の比較により、具体的には管路被害確率（Ｐｆ）の値より乱数の値が小さい場合には被害を受けると推定し、管路被害確率  （Ｐｆ）の値より乱数の値が大きい場合には被害を受けないと推定するものであり、この推定を１００回程度繰り返して行い、１度でも被害を受けると判別した場合には被害を受けると推定する。
【００２７】
＃１０５ステップでは被害を受けると推定した被害管路（破損管路）の識別情報をメモリ等にストアする処理を行うものとなっている。
【００２８】
被害推定処理（＃Ｂ）は、被害を受けた管路の全てについて漏水量を求めると共に、夫々の管路の漏水量を解析し、この漏水による圧力低下から断水する領域を求めるものであり、その処理は図１２のフローチャートに示すように、前記  ＃１０５ステップでストアした夫々の被害管路を特定するため識別情報のセットを行い（＃２０１ステップ）、この後の水理解析の初期設定で、仮水量（Ｗｔ）に漏水管の取り出し量（Ｗｏ）をセットし、又、仮水圧（Ｈｔ）に漏水管の水圧（Ｈｏ）を設定する（＃２０２ステップ）。次に、この仮水圧（Ｈｔ）から漏水量（Ｒｔ）を算出する（＃２０３ステップ）。この算出には図１３に示すように水圧と漏水量とが１．１５乗の関係にあることを示す式が用いられる（同図には直径が２００ｍｍの管路の水圧と漏水量の関係が示されている）。
【００２９】
次に、管路の取り出し量（Ｗｏ）に漏水量（Ｒｔ）を加え、この結果（Ｗｔ）から管路水圧（Ｈｐｔ）を算出し（＃２０４ステップ）、前記仮水圧（Ｈｔ）と管路水圧（Ｈｐｔ）の平均値を仮水圧（Ｈｔ）にセットし（＃２０５ステップ）、この仮水圧（Ｈｔ）と管路水圧（Ｈｐｔ）との絶対値が予め設定された閾値より小さくなるまで＃２０３〜＃２０５ステップの処理を繰り返し（反復し）、仮水圧（Ｈｔ）と管路水圧（Ｈｐｔ）との絶対値が予め設定された閾値より小さくなった際に（収束した際に）処理の繰り返しを終え、その管路水圧（Ｈｐｔ）、あるいは、その管路に連なる管路の水圧、と断水圧との比較を行い、断水状態に陥る管路と給水可能な管路とを弁別して、断水域を示す情報をディスプレイ１に表示すると共に、メモリにストアする処理を行うものとなっている（＃２０６〜２０８ステップ）。尚、前述した＃２０３〜＃２０５ステップの処理を繰り返しを行った場合には図１４のグラフに示すように、仮水圧（Ｈｔ）と漏水量（Ｒｔ）と管路水圧（Ｈｐｔ・同図には水圧と記載）とが変化し、繰り返し処理によって仮水圧（Ｈｔ）と漏水量（Ｒｔ）と管路水圧（Ｈｐｔ）が収束し、その結果、管路の水圧として与え得るものとなる。
【００３０】
耐震化想定処理（＃Ｃ）は、図１５のフローチャートに示すように、被害管路の情報と重み付け情報とに基づいて、重み値Ｋ１〜Ｋ６（重み値Ｋと総称する）を集計し、この重み値Ｋ１〜Ｋ６を集計（積算）した結果を比較し、この集計値の最も大きい管路から耐震化すべき管路の優先順位としてディスプレイ１に表示し、次に、設定された重み値Ｋ以上の管路、若しくは、設定された管路数に基づいて耐震化すべき管路を想定してディスプレイ１表示し、更に、このように想定された管路の情報をメモリにストアする処理を行うものとなっている（＃３０１〜３０３ステップ）。尚、この処理のように耐震化すべき管路を自動的に設定する処理を行う際に、重み値Ｋに基づいて耐震化すべき管路を優先順位に従って表示しておき、このように表示されたものから耐震化すべき管路を上位からオペレータが任意の数だけ選択することや、このように表示されたものから耐震化すべき閾値として重み値をオペレータが入力することで、この閾値より大きい値の重み値となるものを耐震化すべき管路を選択するよう処理形態を設定して実施することも可能である。
【００３１】
又、この重み値は図１６の処理に基づいて夫々の管路に設定されている。具体的には、その管路の被害率（Ｒｍ）、その管路の老朽度（Ｙ）、その管路の布設位置（ＳＰ）、給水点（ＤＰ）、その管路の流量比（Ｗｑ）、その管路の平均圧力変化量（Ａｐ）、低圧化対象人口（Ｌｐ）に対応して重み値が与えられるものであり、被害率（Ｒｍ）については、その管路の補正係数（α１）と被害率（Ｒｍ）とを乗じた結果を重み値（Ｋ１）として与え、老朽度（Ｙ）については、その管路の補正係数（α２）と老朽度（Ｙ）とを乗じた結果を重み値（Ｋ２）として与え、布設位置（ＳＰ）については、その管路の補正係数（α３）と重要度点数（Ｎ）とを乗じた結果を重み値（Ｋ３）として与え、給水点（ＤＰ）については、水源Ｓから給水点ＤＰに至る管路の補正係数（α４）と重要度点数（Ｎ）を乗じた結果を重み値（Ｋ４）として与え、流量比（Ｗｑ）については、その管路の補正係数（α５）と重要度点数（Ｎ）とを乗じた結果を重み値（Ｋ５）として与え、平均圧力変化量（Ａｐ）については、その管路の補正係数（α６）と重要度点数（Ｎ）とを乗じた結果を重み値（Ｋ６）として与え、低圧化対象人口（Ｌｐ）については、その管路の補正係数（α７）と重要度点数（Ｎ）とを乗じた結果を重み値（Ｋ７）として与える処理が予め行われている。
【００３２】
又、被害率（Ｒｍ）では被害率（Ｒｍ）が高い管路ほど重み値（Ｋ１）を大きくするものであり、老朽度（Ｙ）では老朽度が大きいものほど重み値（Ｋ２）を大きくするものであり、布設位置（ＳＰ）では直ちに復旧工事を行えない緊急道路に布設されているものを大きい値の重要度点数（Ｎ）を設定してあり、給水点（ＤＰ）に給水を行う管路では病院や災害時に住民が避難する公共施設等の給水点（ＤＰ）に送水する管路を抽出し、これらの管路についてオペレータが設定した重要度が高いものほど大きい値の重要度点数（Ｎ）を設定するものであり、流量比（Ｗｑ）では管路に流れる流量が大きい管路ほど大きい値の重要度点数（Ｎ）を設定するものであり、平均圧力変化量（Ａｐ）では被害時に管路全体に及ぼす圧力変化が大きくなる管路ほど大きい値の重要度点数（Ｎ）を設定するものであり、低圧化対象人口（Ｌｐ）では被害時に低圧化や断水する人口が大きいものほど大きい値の重要度点数（Ｎ）を設定するものである。補正係数α１〜α７については重み値の整合化を図るためにオペレータによって任意に設定される。尚、この重み値を設定する際に、例えば、被害率（Ｒｍ）の場合、被害率（Ｒｍ）と重み値とを対応させテーブル形式で保存しておき、重み値を与える場合にテーブルから読み出すよう処理形態を設定することも可能である。
【００３３】
次に、水源Ｓから給水点ＤＰに水を送る主幹線Ｍを選択するための処理を説明する。この処理を行う際には前述のように管路情報ファイルＦａからの情報に基づいて管網全体ＰＮをディスプレイ１に表示すると共に、このように表示された状態において、図１９のフローチャートに示すように本発明の主幹線探索手段としての主幹線探査ルーチンを実行することで可能になる。つまり、このルーチンが実行されると、給水点ＤＰを選択すべき旨の表示が行われ、この指示に従って、マウス５やキーボード４の操作によってカーソルを病院や地震時に住民が避難する学校や公共施設や、火災発生時に効率的な消火を可能にする位置の消火栓等の位置にセットしてマウス５のスイッチを操作する等の操作により給水点ＤＰの指定を行うものとなる（＃４０１ステップ）。
【００３４】
この指定を行う際には図１８に示す如く、ディスプレイ１に対して別のウインドウＷ２を開き、このウインドウＷ２内に拡大した管網を表示した状態で給水点ＤＰを指定することも可能である。そして、図１７に模式的に示された管網ＰＮにおいて、破線で示す経路（主幹線Ｍ）に最大の流量が送られるものを例に挙げると、給水点ＤＰが指定されると、この給水点ＤＰに最も近い位置の交点Ｐ１が抽出されると共に、この交点Ｐ１に接続する全ての経路を抽出し、次に、このように抽出した複数の経路夫々の流向と流量とを水理解析によって求め、この交点に対して水を送り込む経路のうち、最大流量となる経路を抽出する処理を行う。次に、このように抽出した経路における上流側の交点Ｐ２を求め、この交点Ｐ２おいても接続する全ての経路を抽出し、その経路の流向と流量とを水理解析によって求めて、最大流量となる経路を抽出する処理を、その経路が水源Ｓと直結することが判別するまで、同図では交点Ｐ３〜Ｐ６について順次求め、経路が水源Ｓと直結することが判別した時点で（＃４０２〜＃４０５ステップ）、交点を抽出する処理を停止して、これまで抽出した経路と、最後に抽出された経路を主幹線Ｍに設定してディスプレイ１に表示し（図を参照）、更に、この給水点ＤＰの名称を付加して、この給水点ＤＰに対する主幹線Ｍを構成する複数の管路を識別する情報をメモリストア（保存）する処理を行うものとなっている（＃４０８、＃４０９ステップ）。
【００３５】
このように抽出された主幹線Ｍはディスプレイ１に表示された管網ＰＮと重複して表示されるものとなっており、この表示の際には主幹線を示す管路の色を異ならせることや、ブリンクさせることにより強調される。又、主幹線は前述のように水源Ｓから給水点ＤＰに至って形成された複数を管路の組み合わせたものとなっており、前述した管路を識別する情報は、これらの管路を特定するための情報が連続した構造となり、オペレータはこれらの給水点ＤＰに対応する主幹線Ｍを構成する管路についてオペレータが任意に重要度点数（Ｎ）を設定する操作を行うことになる。又、耐震化費用算出処理（＃Ｃ’）では耐震化想定処理（＃Ｃ）で耐震化を想定した各管路の布設替えを行う際の夫々の工事費用を積算した金額が保存される。
【００３６】
第２推定処理（＃Ｄ）は、耐震化想定処理（＃Ｃ）で管路の一部が耐震化した点が異なるだけで、行われる処理は前述した第１推定処理（＃Ａ）と変わりないものとなっており、この後に行われる被害の推定処理（＃Ｅ）も前述した被害の推定処理（＃Ｂ）と変わりないものとなっている。
【００３７】
そして、比較処理（＃Ｆ）では、被害の推定処理（＃Ｂ）で推定した断水領域と断水率と被害の推定処理（＃Ｅ）で推定した断水領域と断水率とを比較する処理であり、出力処理（＃Ｇ）その比較結果を、例えば、図２０に示す如く、ディスプレイ１に対してウインドウＷ３を開き「耐震化前」と「耐震化後」との断水人口・断水率を数値で表示すると同時に、管網ＰＮにおいて断水する領域の表示を行い（図中のハッチングの領域）、オペレータが容易に被害の比較を把握できるものにしている。又、このシステムでは比較結果や耐震化に必要な工事費用をプリンター６でプリントすることも可能に構成されている。
【００３８】
このように、本発明では、地震情報に基づいて管網ＰＮを構成する管路の破損管路を推定するよう基本的な処理形態が設定されているので、震源が異なる地震や、震源が同じでも震度が異なる地震に対するシミュレーションを容易に行えるばかりでなく、このように推定された被害管路を基にした断水人口・断水率を求めて保存しておき、又、推定された被害管路を予め設定されたルールに基づいて耐震化する想定を行い、このように耐震化が想定された管路に対する地震の被害から断水人口・断水率を求めて、保存していた断水人口・断水率と比較することにより、耐震化前と耐震化後との管網の評価を対比した状態で行え、又、耐震化に必要な工事費用の算出まで行えるものとなっている。
【００３９】
特に、地震に対する被害管路を推定する際に、メッシュ状に分割形成された複数の領域Ｚ毎に、その領域Ｚに含まれる管路の被害確率を求め、乱数との多数回数の比較により被害管路を推定するので想定が容易で確率の理論に基づいた無理のない管路を抽出するものとなり、このように抽出した被害管路の水圧から漏水量を求める処理と、この漏水量に基づいて水圧を求める処理とを繰り返して（反復して）収束するまで行うことで精度高く管路の水圧を求め得るものとなっており、しかも、地震により推定された複数の被害管路のうち、耐震化すべき管路を予め設定されたルールに従って選択するので選択に手間が掛からないものとなり、このルールに基づいた選択の結果、断水人口・断水率の改善を図るものばかりでなく、被害を受けやすい管路の被害を低減し、老朽度の高い管路の耐震化を促進し、地震災害時には復旧工事に時間を掛けずに済むものとし、地震災害時には病院や公共施設への給水を維持し、地震災害時には断水領域を小さくし、地震災害時には管網ＰＮ全体での圧力低下を小さくするものとなっている。又、市町村で管網ＰＮを管理するための管路情報ファイルＦａを用いることが可能であるので特別に管網ＰＮをデータ化する必要がなく簡便に処理を行えるものとなっている。
【００４０】
そして、管網中から病院や公共施設への給水を維持するための主幹線Ｍを抽出する場合には、ディスプレイ１に表示された管網中に給水点ＤＰを指定する操作を行い、主幹線探索の処理を実行するだけで、主幹線Ｍが抽出されるものとなっている。
【図面の簡単な説明】
【図１】システムの全体図
【図２】管網を示す図
【図３】処理の流れを示すブロック図
【図４】情報の流れを示すブロック図
【図５】第１推定処理のフローチャート
【図６】管網に設定されたメッシュを示す図
【図７】管路情報ファイルの構造を示す図
【図８】管種に関する補正係数を一覧化した図
【図９】管径に関する補正係数を一覧化した図
【図１０】地形・地盤に関する補正係数を一覧化した図
【図１１】液状化に関する補正係数を一覧化した図
【図１２】被害推定処理のフローチャート
【図１３】水圧と漏水量との関係をグラフで表した図
【図１４】漏水管路の水圧解析時の漏水量・仮水圧・水圧の変化をグラフで表した図
【図１５】耐震化想定処理のフローチャート
【図１６】重み付け処理の式を一覧化した図
【図１７】管網の模式図
【図１８】管網全体と管網の一部とをディスプレイに表示した状態を示す図
【図１９】主幹線探査ルーチンのフローチャート
【図２０】比較結果をディスプレイに表示した状態を示す図
【符号の説明】
１，６          出力装置
３              処理装置
２              記憶手段
【図１】
0004309023.tif 000002
【図２】
0004309023.tif 000003
【図３】
0004309023.tif 000004
【図４】
0004309023.tif 000005
【図５】
0004309023.tif 000006
【図６】
0004309023.tif 000007
【図７】
0004309023.tif 000008
【図８】
0004309023.tif 000009
【図９】
0004309023.tif 000010
【図１０】
0004309023.tif 000011
【図１１】
0004309023.tif 000012
【図１２】
0004309023.tif 000013
【図１３】
0004309023.tif 000014
【図１４】
0004309023.tif 000015
【図１５】
0004309023.tif 000016
【図１６】
0004309023.tif 000017
【図１７】
0004309023.tif 000018
【図１８】
0004309023.tif 000019
【図１９】
0004309023.tif 000020
【図２０】
0004309023.tif 000021